【手続補正書】
【提出日】平成29年6月12日(2017.6.12)
【手続補正１】
【補正対象書類名】特許請求の範囲
【補正対象項目名】全文
【補正方法】変更
【補正の内容】
【特許請求の範囲】
【請求項１】
第１のデバイスにおいて、前記第１のデバイスと第２のデバイスとの間の通信チャネルを介したデータ送信のために用いられる第１のトーンマップを受信することと、前記第１のトーンマップは、１組の周波数のそれぞれに対する送信特性を含む、
前記第１のデバイスから前記第２のデバイスに前記通信チャネルを介して送信するために利用可能なデータの量が前記第１のトーンマップと関連する最小送信ユニットのための送信サイズ未満であると決定することと、
送信するために利用可能な前記データの量が前記第１のトーンマップと関連する前記最小送信ユニットのための前記送信サイズ未満であるという決定に応答して、前記第１のデバイスにおいて、前記第１のトーンマップとは異なるディレートされたトーンマップを決定することと、前記ディレートされたトーンマップは、前記第１のトーンマップに含まれる少なくとも１つの周波数に対して、同じ時間周期において前記第１のトーンマップと同じデータの量を運ぶことが可能な、より小さい変調方式、より低いコーディングレート、ディレートされた前方誤り訂正方式、およびディレートされたガードインターバルを用い、
前記ディレートされたトーンマップを用いて、前記データを送信することと、
を備える方法。
【請求項２】
前記第１のトーンマップは、チャネル推定プロセスに少なくとも部分的に基づく、請求項１に記載の方法。
【請求項３】
前記第１のトーンマップとプロトコル最小送信ユニットとに少なくとも部分的に基づいて、第１の物理層送信レートを決定することと、
前記データの量と前記プロトコル最小送信ユニットとに関連する第２の物理層送信レートを決定することと、
ディレーティング係数を決定するために、前記第１の物理層送信レートを前記第２の物理層送信レートと比較することと、
をさらに備える、請求項１に記載の方法。
【請求項４】
前記第１のトーンマップから前記ディレートされたトーンマップを決定するために前記第１のデバイスによって用いられるディレーティング係数またはディレーティングアルゴリズムを示す信号を、前記第２のデバイスに通信すること、前記ディレーティング係数またはディレーティングアルゴリズムは、前記第１のトーンマップから同じディレートされたトーンマップを決定するために前記第２のデバイスによって利用可能である、をさらに備える、請求項１に記載の方法。
【請求項５】
前記信号は、物理層送信ユニットのフレーム制御部分において通信される、請求項４に記載の方法。
【請求項６】
前記第１のトーンマップでは、前記１組の周波数のそれぞれに対する前記送信特性は、変調方式、前方誤り訂正方式、コーディングレート、およびガードインターバルを含み、
前記ディレートされたトーンマップは、前記１組の周波数における少なくとも１つの周波数に対して、前記変調方式、前記前方誤り訂正方式、前記コーディングレート、および前記ガードインターバルを調節する、請求項１に記載の方法。
【請求項７】
前記ディレートされたトーンマップは、前記第１のトーンマップにおける前記送信特性に適用されるディレーティング係数を用いて、前記１組の周波数におけるすべての周波数に対して、前記変調方式、前記前方誤り訂正方式、前記コーディングレート、および前記ガードインターバルを調節する、請求項６に記載の方法。
【請求項８】
第１のデバイスであって、
前記第１のデバイスと第２のデバイスとの間の通信チャネルを介したデータ送信のために用いられる、１組の周波数のそれぞれに対する送信特性を含む、第１のトーンマップを受信することと、
前記第１のデバイスから前記第２のデバイスに前記通信チャネルを介して送信するために利用可能なデータの量が前記第１のトーンマップと関連する最小送信ユニットのための送信サイズ未満であると決定することと、
送信するために利用可能な前記データの量が前記第１のトーンマップと関連する前記最小送信ユニットのための前記送信サイズ未満であるという決定に応答して、前記第１のトーンマップとは異なるディレートされたトーンマップを決定することと、前記ディレートされたトーンマップは、前記第１のトーンマップに含まれる少なくとも１つの周波数に対して、同じ時間周期において前記第１のトーンマップと同じデータの量を運ぶことが可能な、より小さい変調方式、より低いコーディングレート、ディレートされた前方誤り訂正方式、およびディレートされたガードインターバルを用い、
を行うように構成された物理層コントローラと、
前記ディレートされたトーンマップを用いて、前記データを送信するように構成されたネットワークインターフェースと、
を備える第１のデバイス。
【請求項９】
前記第１のトーンマップは、チャネル推定プロセスに少なくとも部分的に基づく、請求項８に記載の第１のデバイス。
【請求項１０】
前記物理層コントローラはさらに、
前記第１のトーンマップとプロトコル最小送信ユニットとに少なくとも部分的に基づいて、第１の物理層送信レートを決定することと、
前記データの量と前記プロトコル最小送信ユニットとに関連する第２の物理層送信レートを決定することと、
ディレーティング係数を決定するために、前記第１の物理層送信レートを前記第２の物理層送信レートと比較することと、
を行うように構成されている、請求項８に記載の第１のデバイス。
【請求項１１】
前記物理層コントローラはさらに、
前記第１のトーンマップから前記ディレートされたトーンマップを決定するために前記第１のデバイスによって用いられるディレーティング係数またはディレーティングアルゴリズムを示す信号を通信すること、前記ディレーティング係数またはディレーティングアルゴリズムは、前記第１のトーンマップから同じディレートされたトーンマップを決定するために前記第２のデバイスによって利用可能である、を行うように構成されている、請求項８に記載の第１のデバイス。
【請求項１２】
前記信号は、物理層送信ユニットのフレーム制御部分において通信される、請求項１１に記載の第１のデバイス。
【請求項１３】
前記第１のトーンマップでは、前記１組の周波数のそれぞれに対する前記送信特性は、変調方式、前方誤り訂正方式、コーディングレート、およびガードインターバルを含み、
前記ディレートされたトーンマップは、前記１組の周波数における少なくとも１つの周波数に対して、前記変調方式、前記前方誤り訂正方式、前記コーディングレート、および前記ガードインターバルを調節する、請求項８に記載の第１のデバイス。
【請求項１４】
前記ディレートされたトーンマップは、前記第１のトーンマップにおける前記送信特性に適用されるディレーティング係数を用いて、前記１組の周波数におけるすべての周波数に対して、前記変調方式、前記前方誤り訂正方式、前記コーディングレート、および前記ガードインターバルを調節する、請求項１３に記載の第１のデバイス。
【請求項１５】
第１のデバイスと第２のデバイスとの間の通信チャネルを介したデータ送信のために用いられる第１のトーンマップを前記第１のデバイスから前記第２のデバイスに提供することと、前記第１のトーンマップが、１組の周波数のそれぞれに対する送信特性を含む、
前記第１のデバイスにおいて、前記第１のトーンマップとは異なるディレートされたトーンマップに関する指示を受信することと、前記ディレートされたトーンマップは、前記第２のデバイスから前記第１のデバイスに前記通信チャネルを介して送信するために利用可能なデータの量に少なくとも部分的に基づいて前記第２のデバイスによって決定され、前記ディレートされたトーンマップは、前記第１のトーンマップに含まれる少なくとも１つの周波数に対して、同じ時間周期において前記第１のトーンマップと同じデータの量を運ぶことが可能な、より小さい変調方式、より低いコーディングレート、ディレートされた前方誤り訂正方式、およびディレートされたガードインターバルを用い、前記データの量は、前記第１のトーンマップと関連する最小送信ユニットのための送信サイズ未満である、
前記ディレートされたトーンマップを用いて、前記第２のデバイスから、前記データを受信することと、
を備える方法。
【請求項１６】
前記指示は、物理層送信ユニットのフレーム制御シンボルに含まれている、請求項１５に記載の方法。
【請求項１７】
前記指示はディレーティング係数であり、前記方法は、
前記第１のデバイスにおいて、前記ディレーティング係数と前記第１のトーンマップとに少なくとも部分的に基づいて前記ディレートされたトーンマップを決定することをさらに備える、請求項１５に記載の方法。
【請求項１８】
デバイスのプロセッサによって実行されると、前記デバイスに、
第１のデバイスにおいて、前記第１のデバイスと第２のデバイスとの間の通信チャネルを介したデータ送信のために用いられる第１のトーンマップを受信することと、前記第１のトーンマップは、１組の周波数のそれぞれに対する送信特性を含む、
前記第１のデバイスから前記第２のデバイスに前記通信チャネルを介して送信するために利用可能なデータの量が前記第１のトーンマップと関連する最小送信ユニットのための送信サイズ未満であると決定することと、
送信するために利用可能な前記データの量が前記第１のトーンマップと関連する前記最小送信ユニットのための前記送信サイズ未満であるという決定に応答して、前記第１のデバイスにおいて、前記第１のトーンマップとは異なるディレートされたトーンマップを決定することと、前記ディレートされたトーンマップは、前記第１のトーンマップに含まれる少なくとも１つの周波数に対して、同じ時間周期において前記第１のトーンマップと同じデータの量を運ぶことが可能な、より小さい変調方式、より低いコーディングレート、ディレートされた前方誤り訂正方式、およびディレートされたガードインターバルを用い、
前記ディレートされたトーンマップを用いて、前記データを送信することと、
を行わせる命令を記憶する、非一時的なコンピュータ可読媒体。
【請求項１９】
前記第１のトーンマップは、チャネル推定プロセスに少なくとも部分的に基づく、請求項１８に記載の非一時的なコンピュータ可読媒体。
【請求項２０】
前記命令は、前記デバイスの前記プロセッサによって実行されると、前記デバイスに、
前記第１のトーンマップとプロトコル最小送信ユニットとに少なくとも部分的に基づいて、第１の物理層送信レートを決定することと、
前記データの量と前記プロトコル最小送信ユニットとに関連する第２の物理層送信レートを決定することと、
ディレーティング係数を決定するために、前記第１の物理層送信レートを前記第２の物理層送信レートと比較することと、
を行わせる、請求項１８に記載の非一時的なコンピュータ可読媒体。